(57)【要約】【課題】  安価で、視認性、操作性に優れた車両用表示装置を提供する。【解決手段】  表示部１７を備えた車両用表示装置１２において、操作部１５を設け、表示部１７を備えた表示領域１３ｂと、操作部１５を備えた操作領域１３ｃと、表示領域１３ｂと操作領域１３ｃとを備えた単一の化粧板１３とを設け、表示領域１３ｂと操作領域１３ｃとで異なる色としたものである。【選択図】  図２
2015189266.tif 000002
【特許請求の範囲】
【請求項１】
表示部を備えた車両用表示装置において、
操作部を設け、前記表示部を備えた表示領域と、前記操作部を備えた操作領域と、前記表示領域と前記操作領域とを備えた単一の化粧板とを設け、前記表示領域と前記操作領域とで異なる色としたことを特徴とする車両用表示装置。
【請求項２】
前記表示領域と前記操作領域との境界に線を設けたことを特徴とする請求項１に記載の車両用表示装置。
【請求項３】
前記車両用表示装置は、運転席と助手席の間に配置され、前記表示領域には、前記表示部に加えて速度を表示する速度表示部を備え、前記速度表示部は、前記車両用表示装置の前記運転者側に設けたことを特徴とする請求項１に記載の車両用表示装置。
【請求項４】
前記表示部は、多目的表示部であり、前記表示部の近傍に前記操作部を配置したことを特徴とする請求項１に記載の車両用表示装置。
【請求項５】
前記多目的表示部は、車両の速度以外の車両情報を表示する車両情報表示領域を備え、前記車両情報表示領域を前記速度表示部側としたことを特徴とする請求項３に記載の車両用表示装置。
【請求項６】
前記化粧板は、光が透過する母材の背面側に前記表示領域と前記操作領域を表す印刷層を備え、前記操作領域に前記操作部が露出する開口を設けたことを特徴とする請求項１に記載の車両用表示装置。
【請求項７】
前記表示領域と前記操作領域との配置は、前記操作領域を前記表示領域の下側に配置したことを特徴とする請求項１に記載の車両用表示装置。
【発明の詳細な説明】
【技術分野】
【０００１】
本発明は、二輪車や自動車などの車両の計測項目を主に表示する車両用表示装置に関する。
【背景技術】
【０００２】
従来の車両用表示装置は、少なくとも車室内の運転席から中央部に至る大きさの表示部と、この表示部に少なくとも車両情報を含む画像を表示可能な表示手段と、前記表示部に表示される前記画像に対してジェスチャ操作可能な操作手段と、前記ジェスチャ操作に応じて前記表示手段における表示内容を変更可能な制御手段とを備えており、オーディオ装置、エアコン、ナビゲーション装置が、多重通信ラインを介して接続されるものであった（例えば、特許文献１参照）。
【先行技術文献】
【特許文献】
【０００３】
【特許文献１】特開２０１４−８８１８号公報
【発明の概要】
【発明が解決しようとする課題】
【０００４】
しかしながら、従来の車両用表示装置は、オーディオ装置が、車両用表示装置とは、別々に設けられているため、部品点数が多く、コストを抑えにくかった。また、近年では、コストを抑えた安価な車両用表示装置が望まれているという問題点があった。
【０００５】
そこで本発明は、前記問題点を解消し、安価で、視認性、操作性に優れた車両用表示装置を提供することを目的とするものである。
【課題を解決するための手段】
【０００６】
本発明の車両用表示装置は、表示部を備えた車両用表示装置において、操作部を設け、前記表示部を備えた表示領域と、前記操作部を備えた操作領域と、前記表示領域と前記操作領域とを備えた単一の化粧板とを設け、前記化粧板を前記表示領域と前記操作領域とで異なる色とした
ものである。
【発明の効果】
【０００７】
以上の構成によって、本発明は、所期の目的を達成することができ、安価で、視認性、操作性に優れた車両用表示装置を提供することができる。
【図面の簡単な説明】
【０００８】
【図１】本発明の第１実施形態の車両用表示装置を搭載した四輪車の車内を示す図。
【図２】同実施形態の車両用表示装置の正面図。
【図３】同実施形態の車両用表示装置の化粧板を取り外した正面図。
【図４】図２中ＩＶ−ＩＶ線の断面図。
【図５】図２中Ｖ−Ｖ線の断面図。
【発明を実施するための形態】
【０００９】
以下に、本発明の実施形態を添付図面に基づいて説明する。車両用表示装置を移動体である四輪車（自動車）に搭載した場合を例にあげて説明する。
【００１０】
本実施形態の四輪車１は、フロントガラス２と、このフロントガラス２の左右に位置するピラー３、４と、左右のピラー３、４の下端部分を繋ぐように横切るダッシュボード５と、ダッシュボード５の中央部から図１の下側に延びるセンターコンソール６と、センターコンソール６を中心として図１の右側に設けた運転席側のシート７と、センターコンソール６を中心として図１の左側に設けた助手席側のシート８と、運転席側に設けたハンドル９とを備えている。なお、１０は、左側の側面ガラスであり、１１は、右側の側面ガラスである。本実施形態の車両用表示装置１２は、運転席と助手席の間に配置され、ダッシュボード５の中央よりやや運転席側に固定されている。
【００１１】
次に、車両用表示装置１２を説明する。車両の計測項目を表示する計器の機能と、ラジオなどのオーディオ機能を一体に備えたものである。車両用表示装置１２は、図４、５に示すように、化粧板１３と、中ケース１４と、操作部１５と、操作部用基板１６と、表示部１７（マルチディスプレイ）と、メイン基板１８と、背面ケース１９とからなる。
【００１２】
化粧板１３は、例えば、ポリカーボネイトなどの光を透過する合成樹脂の母材からなり、本実施形態では、透明である。また、化粧板１３の背面側に設けた印刷層により車両用表示装置１２の意匠を施してある。
【００１３】
化粧板１３は、前記印刷層によって形成された、表示部１７を備えた表示領域１３ｂと、操作部１５を備えた操作領域１３ｃとを備えている。表示領域１３ｂと操作領域１３ｃは、異なる部材ではなく、単一の化粧板１３に形成されている。表示領域１３ｂと操作領域１３ｃとの配置は、操作領域１３ｃを表示領域１３ｂの下側に配置したものである。
【００１４】
また、化粧板１３の操作領域１３ｃには、操作部１５が露出する箇所に、開口１３ａが設けられている。なお、本実施形態では、操作部１５以外では、ＵＳＢ（ユニバーサル・シリアル・バス）端子１５ａやＡＵＸ端子１５ｂ用に開口１３ａが設けられている。
【００１５】
表示領域１３ｂには、表示部１７を透過して視認することができる窓部１３ｄが設けられている。この窓部１３ｄは、遮光性を有する印刷が施されていない部分である。表示部１７は、液晶表示素子などからなり、複数の車両情報や車両情報以外の情報を表示可能な多目的表示部である。多目的表示部１７は、操作部１５の近傍に配置されている。
【００１６】
表示領域１３ｂには、表示部１７の他に車両の速度を表示する速度表示部１３ｅが設けられている。この速度表示部１３ｅは、乳白色の印刷層で形成されており、背後に設けた光源の光が透過可能で、かつ、背後の光源を直視できないものである。また、その形状は、日の字型のセグメントの形状と、「ｋｍ／ｈ」の文字で形成されている。速度表示部１３ｅは、車両用表示装置１２の前記運転者側に設けられている。
【００１７】
表示領域１３ｂには、警告表示部１３ｆが設けられている。この警告表示部１３ｆも速度表示部１３ｅと同様に乳白色の印刷層で形成されており、背後に設けた光源の光が透過可能で、かつ、背後の光源を直視できないものである。その形状は、各警告内容を表す形状である。なお、図１では、警告表示部１３ｆは、理解を容易にするために、警告表示部１３ｆが描かれているが、実際は、背後の光源が点灯した場合のみ視認可能であり、背後の光源が消灯した状態では、視認できない、あるいは、視認しにくいものである。
【００１８】
表示領域１３ｂと操作領域１３ｃとは、化粧板１３の裏面に印刷により形成されるものであり、表示領域１３ｂと操作領域１３ｃとは、異なる色である。本実施形態では、表示領域１３ｂは、黒色であり、操作領域１３ｃは、灰色である。
【００１９】
また、化粧板１３の表示領域１３ｂと操作領域１３ｃとの境界には、線１３ｇが設けられている。この線１３ｇも、化粧板１３の背面の印刷層によって形成されている。なお、本実施形態では、この線１３ｇは、本実施形態では、青色である。
【００２０】
中ケース１４は、例えば、ポリプロピレンなどの光を遮光する合成樹脂からなり、本実施形態では、白色である。白色とすることで、メイン基板１８に設けた後述する光源の光を化粧板１３へと効率良く導くためである。
【００２１】
また、中ケース１４には、表示部１７が露出する開口１４ａが設けられている。この開口１４ａは、中ケース１４を貫通する孔である。また、中ケース１４には、メイン基板１８に設けた光源の光を速度表示部１３ｅと警告表示部１３ｆに導く照明室を形成する筒状部１４ｂが設けられている。
【００２２】
また、中ケース１４には、操作領域１３ｃに設けた操作部１５、ＵＳＢ端子１５ａ及びＡＵＸ端子１５ｂが露出する開口１４ｃが設けられている。
【００２３】
操作部１５は、例えば、ポリプロピレンなどの光を遮光する合成樹脂からなり、本実施形態では、黒色である。操作部１５は、例えば、表示部１７の表示内容を変更したり、オーディオ機能を操作するスイッチとして機能を果たすものである。
【００２４】
操作部用基板１６に設けたスイッチユニット１６ａに機械的に接続されており、操作部１５を操作することで、スイッチユニット１６ａを操作し、車両用表示装置１２の表示部１７の表示を変更することや、オーディオの機能を選択することができる。
【００２５】
ＵＳＢ端子１５ａやＡＵＸ端子１５ｂは、外部機器と接続する端子である。
【００２６】
操作部用基板１６は、ガラスエポキシ樹脂などの絶縁性を有する硬質の基材に銅などからなる導電性の配線パターンを備えた基板であり、スイッチユニット１６ａやＵＳＢ端子１５ａやＡＵＸ端子１５ｂなどが固定されている。この操作部用基板１６は、メイン基板１８と電気的に接続されている。
【００２７】
表示部１７は、液晶表示素子などからなり、前述したように、複数の車両情報や車両情報以外の情報を表示可能な多目的表示部である。表示部１７の表示内容は、車両の速度以外の車両情報を表示する車両情報表示領域１７ａと、前記車両情報以外の情報を表示する非車両情報表示領域１７ｂとを備えている。車両の速度以外の車両情報としては、燃料残量、変速装置のギアポジションがあり、他、車両情報と車両情報以外の情報を兼用して表示するものとしては、オドメータの数値やトリップメータの数値あるいは、時刻、オーディオ機能のラジオのバンドを表示する数値表示がある。また、前記数値表示が、どのような情報を表示しているかを表すものとして、選択機能表示部を備えている。本実施形態では、図２中の表示部１７では、左上から「ＡＵＸ」、「ＦＭ」、「ＡＭ」、左下から「ＣＬＫ」、「ＯＤＯ」、「ＴＲＩＰ」の６つの状態を選択し、表示部１７の数値表示が、どの情報を表示しているのかを表すことができる。表示部１７では、表示部１７の速度表示部１３ｅ側に車両情報表示領域１７ａを配置している。
【００２８】
メイン基板１８は、操作部用基板１６と同様に、ガラスエポキシ樹脂などの絶縁性を有する硬質の基材に銅などからなる導電性の配線パターンを備えた基板であり、表示部１７や、速度表示部１３ｅと警告表示部１３ｆを透過照明する光源１８ａが、実装されている。なお、光源１８ａは、発光ダイオードなどである。
【００２９】
背面ケース１９は、例えば、ポリプロピレンなどの光を遮光する合成樹脂からなり、本実施形態では、白色である。中ケース１４の背面を覆い、メイン基板１８を保護するものである。
【００３０】
以上、本実施形態では、表示部１７を備えた車両用表示装置１２において、操作部１５を設け、表示部１７を備えた表示領域１３ｂと、操作部１５を備えた操作領域１３ｃと、表示領域１３ｂと操作領域１３ｃとを備えた単一の化粧板１３とを設け、表示領域１３ｂと操作領域１３ｃとで異なる色としたことにより、システムを集約したことによってコストが抑えられ、また、瞬読性が増し、また、操作領域１３ｃが明確になり操作性が増し、安価で、視認性、操作性に優れた車両用表示装置１２を提供することができる。
【００３１】
また、本実施形態では、表示領域１３ｂと操作領域１３ｃとの境界に線１３ｇを設けたことにより、さらに、瞬読性が増し、また、操作領域１３ｃが明確になり操作性が増し、安価で、視認性、操作性に優れた車両用表示装置１２を提供することができる。
【００３２】
また、本実施形態では、車両用表示装置１２は、運転席と助手席の間に配置され、表示領域１３ｂには、表示部１７に加えて速度を表示する速度表示部１３ｅを備え、速度表示部１３ｅは、車両用表示装置１２の前記運転者側に設けたことにより、重要な車両情報である車両の速度を運転者に視認させやすくすることができる。
【００３３】
また、本実施形態では、表示部１７は、多目的表示部であり、表示部１７の近傍に操作部１５を配置したことにより、操作部１５の操作の内容が、表示部１７に表示されるため、即座に操作項目を理解することができる。
【００３４】
また、本実施形態では、表示部１７は、車両の速度以外の車両情報を表示する車両情報表示領域１７ａを備え、車両情報表示領域１７ａを速度表示部１３ｅ側としたことにより、車両の情報に関する情報をまとめることによって、情報の関連性が分かりやすくなり、視認性が向上する。
【００３５】
また、本実施形態では、化粧板１３は、光が透過する母材の背面側に表示領域１３ｂと操作領域１３ｃを表す印刷層を備え、操作領域１３ｃに操作部１５が露出する開口１３ａを設けたことにより、車両用表示装置１２でありながら操作部１５を操作することができる。
【００３６】
また、本実施形態では、表示領域１３ｂと操作領域１３ｃとの配置は、操作領域１３ｃを表示領域１３ｂの下側に配置したことにより、操作部１５を操作するときに操作者の手で表示領域１３ｂを覆い隠さないようにすることで視認性を向上させることができる。
【産業上の利用可能性】
【００３７】
本発明は、車両用表示装置に利用可能であり、特に、単一の化粧板に、表示領域と操作領域とを備えた車両用表示装置に利用可能である。
【符号の説明】
【００３８】
１      四輪車
２      フロントガラス
３、４  ピラー
５      ダッシュボード
６      センターコンソール
７      運転席側のシート
８      助手席側のシート
９      ハンドル
１０      左側の側面ガラス
１１      右側の側面ガラス
１２      車両用表示装置
１３      化粧板
１３ａ    開口
１３ｂ    表示領域
１３ｃ    操作領域
１３ｄ    窓部
１３ｅ    速度表示部
１３ｆ    警告表示部
１３ｇ    線
１４      中ケース
１４ａ    開口
１４ｂ    筒状部
１４ｃ    開口
１５      操作部
１５ａ    ＵＳＢ端子
１５ｂ    ＡＵＸ端子
１６      操作部用基板
１６ａ    スイッチユニット
１７      表示部
１７ａ    車両情報表示領域
１７ｂ    非車両情報表示領域
１８      メイン基板
１９      背面ケース
【図１】
2015189266.tif 000003
【図２】
2015189266.tif 000004
【図３】
2015189266.tif 000005
【図４】
2015189266.tif 000006
【図５】
2015189266.tif 000007